(57)【要約】  洗浄剤組成物は、（Ａ）２質量％〜１７．５質量％のアニオン性界面活性剤と、（Ｂ）１質量％〜１７．５質量％の両性界面活性剤と、（Ｃ）２．５質量％〜１７質量％の親水性非イオン性界面活性剤と、（Ｄ）０．２質量％〜５質量％の油性成分と、を含有する。但し、洗浄剤組成物は、炭素数９以上のアルキル基又はアシル基を有する脂肪酸モノグリセリンエステル又はモノアルキルモノグリセリルエーテルを実質量含まない。洗浄剤組成物は、炭素数８以上のアルキル基又はアシル基を有する脂肪酸ジグリセリンエステル又はモノアルキルジグリセリルエーテルを実質量含まない。【特許請求の範囲】
【請求項１】
（Ａ）２質量％〜１７．５質量％のアニオン性界面活性剤と、
（Ｂ）１質量％〜１７．５質量％の両性界面活性剤と、
（Ｃ）２．５質量％〜１７質量％の非イオン性界面活性剤と、
（Ｄ）０．２質量％〜５質量％の油性成分と、
を含有し、
下記化１又は化２に示す化合物を実質量含まない、洗浄剤組成物。
【化１】
2018074149.tif 000024
（Ｒ1、Ｒ2及びＲ3のうち、いずれか１つは炭素数９以上のアルキル基又はアシル基であり、他の２つは水素基である。）
【化２】
2018074149.tif 000025
（Ｒ４、Ｒ５、Ｒ６及びＲ７のうち、いずれか１つは炭素数８以上のアルキル基又はアシル基であり、他の３つは水素基である。）
【請求項２】
前記成分（Ａ）及び前記成分（Ｂ）の合計質量に対する前記成分（Ａ）の質量の比が０．１〜０．９である、請求項１に記載の洗浄剤組成物。
【請求項３】
前記成分（Ａ）、前記成分（Ｂ）、前記成分（Ｃ）及び前記成分（Ｄ）の合計質量に対する前記成分（Ａ）及び前記成分（Ｂ）の合計質量の比が０．３５〜０．９である、請求項１又は２に記載の洗浄剤組成物。
【請求項４】
（Ｅ）０．４質量％〜５質量％の起泡剤をさらに含有する、請求項１〜３のいずれか一項に記載の洗浄剤組成物。
【請求項５】
前記成分（Ｅ）が、下記化３に示す化合物のうちの少なくとも１つを含む、請求項４に記載の組成物。
【化３】
2018074149.tif 000026
（Ｒ８、Ｒ９及びＲ１０のうち、いずれか１つは炭素数８以下のアルキル基又はアシル基であり、他の２つは水素基である。）
【請求項６】
（Ｆ）６０質量％〜８５質量％の水をさらに含有する、請求項１〜５のいずれか一項に記載の洗浄剤組成物。
【請求項７】
前記成分（Ａ）がポリオキシエチレンアルキルエーテル硫酸塩及び／又はアシルメチルタウリン塩を含む、請求項１〜６のいずれか一項に記載の洗浄剤組成物。
【請求項８】
前記成分（Ｂ）がベタイン型である、請求項１〜７のいずれか一項に記載の洗浄剤組成物。
【請求項９】
前記成分（Ｃ）のＨＬＢが９〜１４である、請求項１〜８のいずれか一項に記載の組成物。
【請求項１０】
前記成分（Ｃ）がポリオキシエチレン脂肪酸グリセリルである、請求項１〜９のいずれか一項に記載の洗浄剤組成物。
【請求項１１】
バイコンティニュアス相を有しない、請求項１〜１０のいずれか一項に記載の洗浄剤組成物。
【請求項１２】
高圧ガスを使用しない泡立てポンプに適用される、請求項１〜１１のいずれか一項に記載の洗浄剤組成物。
【請求項１３】
化粧料用洗浄剤として使用される、請求項１〜１２のいずれか一項に記載の洗浄剤組成物。
【発明の詳細な説明】
【関連出願】
【０００１】
本発明は、日本国特許出願：特願２０１６−２０５４６３号（２０１６年１０月１９日出願）の優先権主張に基づくものであり、同出願の全記載内容は引用をもって本書に組み込み記載されているものとする。
【技術分野】
【０００２】
本開示は、洗浄剤組成物に関する。例えば、本開示は、皮膚に適用可能な洗浄剤組成物に関する。
【背景技術】
【０００３】
特許文献１には、メーク（化粧料）除去に適用可能な洗浄剤組成物が開示されている。特許文献１に記載の洗浄剤組成物は、（Ａ）両性界面活性剤、（Ｂ）アニオン界面活性剤、（Ｃ）特定の構造を有するモノグリセリン誘導体及び／又はジグリセリン誘導体、（Ｄ）エチレングリコール、プロピレングリコール、イソプロピレングリコール、１，３−ブチレングリコール、ジプロピレングリコール、ポリエチレングリコール、ポリプロピレングリコールの２価アルコールからなる群から選択される１種または２種以上、及び（Ｅ）水を含有し、成分（Ｃ）の（無機性値／有機性値）比の平均値が０.８〜１.５の範囲内であり、洗浄剤組成物が２５℃においてバイコンティニュアスミクロエマルション相である。【０００４】
また、特許文献２には、泡吐出ポンプ容器（ポンプフォーマ）に適用可能な水性液状洗浄剤組成物が開示されている。特許文献２に記載の水性液状洗浄剤組成物は、（Ａ）高級脂肪酸塩及び／又はベタイン型両性界面活性剤から選ばれる一種又は二種以上の洗浄用界面活性剤、（Ｂ）ＨＬＢ８〜１２のポリオキシエチレングリセリル脂肪酸エステル又はポリオキシエチレンソルビット脂肪酸エステル、（Ｃ）ラウリン酸ジエチレングリコール、（Ｄ）炭素数１２〜１８の高級脂肪酸と炭素数２〜６の一価のアルコールからなる２５℃で液状であるエステル油２〜１０質量％、及び（Ｅ）水を含有する。
【先行技術文献】
【特許文献】
【０００５】
【特許文献１】特許第４８３１６０９号公報
【特許文献２】特開２０１１−１３２２２１号公報
【発明の概要】
【発明が解決しようとする課題】
【０００６】
以下の分析は、本開示の観点から与えられる。【０００７】
特許文献１及び特許文献２に記載のような洗浄剤組成物は、ウォータプルーフタイプに対する洗浄力は不十分であった。【０００８】
洗浄力を高めると共に、心地よい使用感触を得るためには、洗浄剤組成物には泡立ちの良さも求められる。【０００９】
そこで、高い洗浄力を有すると共に、泡立ちの良好な洗浄剤組成物が求められている。
【課題を解決するための手段】
【００１０】
本開示の第１視点によれば、（Ａ）２質量％〜１７．５質量％のアニオン性界面活性剤と、（Ｂ）１質量％〜１７．５質量％の両性界面活性剤と、（Ｃ）２．５質量％〜１７質量％の非イオン性界面活性剤と、（Ｄ）０．２質量％〜５質量％の油性成分と、を含有する洗浄剤組成物が提供される。ただし、洗浄剤組成物は、下記化１又は化２に示す化合物を実質量含まない。【００１１】
【化１】
2018074149.tif 000002
（Ｒ1、Ｒ2及びＲ3のうち、いずれか１つは炭素数９以上のアルキル基又はアシル基であり、他の２つは水素基（−Ｈ）である。）
【化２】
2018074149.tif 000003
（Ｒ４、Ｒ５、Ｒ６及びＲ７のうち、いずれか１つは炭素数８以上のアルキル基又はアシル基であり、他の３つは水素基（−Ｈ）である。）
【発明の効果】
【００１２】
本開示の洗浄剤組成物によれば、高い洗浄性を得ることができる。また、本開示の洗浄剤組成物によれば、良好な泡立ちを実現することができる。
【発明を実施するための形態】
【００１３】
上記各視点の好ましい形態を以下に記載する。
【００１４】
上記第１視点の好ましい形態によれば、成分（Ａ）及び成分（Ｂ）の合計質量に対する成分（Ａ）の質量の比が０．１〜０．９である。
【００１５】
上記第１視点の好ましい形態によれば、
成分（Ａ）、成分（Ｂ）、成分（Ｃ）及び成分（Ｄ）の合計質量に対する成分（Ａ）及び成分（Ｂ）の合計質量の比が０．３５〜０．９である。
【００１６】
上記第１視点の好ましい形態によれば、洗浄剤組成物は、（Ｅ）０．４質量％〜５質量％の起泡剤をさらに含有する。
【００１７】
上記第１視点の好ましい形態によれば、成分（Ｅ）が、下記化３に示す化合物のうちの少なくとも１つを含む。
【化３】
2018074149.tif 000004
（Ｒ８、Ｒ９及びＲ１０のうち、いずれか１つは炭素数８以下のアルキル基又はアシル基であり、他の２つは水素基（−Ｈ）である。）
【００１８】
上記第１視点の好ましい形態によれば、洗浄剤組成物は、（Ｆ）６０質量％〜８５質量％の水をさらに含有する。
【００１９】
上記第１視点の好ましい形態によれば、成分（Ａ）がポリオキシエチレンアルキルエーテル硫酸塩及び／又はアシルメチルタウリン塩を含む。
【００２０】
上記第１視点の好ましい形態によれば、成分（Ｂ）がベタイン型である。
【００２１】
上記第１視点の好ましい形態によれば、成分（Ｃ）のＨＬＢが９〜１４である。
【００２２】
上記第１視点の好ましい形態によれば、成分（Ｃ）がポリオキシエチレン脂肪酸グリセリルである。
【００２３】
上記第１視点の好ましい形態によれば、洗浄剤組成物がバイコンティニュアス相を有しない。
【００２４】
上記第１視点の好ましい形態によれば、洗浄剤組成物が、高圧ガスを使用しない泡立てポンプに適用される。
【００２５】
上記第１視点の好ましい形態によれば、洗浄剤組成物が、化粧料用洗浄剤として使用される。
【００２６】
本開示の第１実施形態に係る洗浄剤組成物について説明する。本開示の洗浄剤組成物は、例えば、皮膚の洗浄に適用することができ、特に皮膚上の化粧料（メーキャップ）の洗浄に適用することができる。
【００２７】
本開示において「実質量」とは、その化合物の添加による作用効果が生じ得る量をいう。
【００２８】
以下の説明において、ＰＯＥはポリオキシエチレン、ＰＯＰはポリオキシプロピレンの略記で、ＰＯＥ又はＰＯＰの後ろのカッコ内の数字は当該化合物中におけるＰＯＥ基又はＰＯＰ基の平均付加モル数を表す。
【００２９】
本開示の洗浄剤組成物は、（Ａ）アニオン性界面活性剤と、（Ｂ）両性界面活性剤と、（Ｃ）非イオン性界面活性剤と、（Ｄ）油性成分と、を含有する。本開示の洗浄剤組成物は、バイコンティニュアス相を有していなくてもよい。
【００３０】
［（Ａ）アニオン性界面活性剤］
アニオン性界面活性剤としては、例えば、脂肪酸セッケン（例えば、ラウリン酸ナトリウム、パルミチン酸ナトリウム等）；高級アルキル硫酸エステル塩（例えば、ラウリル硫酸ナトリウム、ラウリル硫酸カリウム等）；アルキルエーテル硫酸エステル塩（例えば、ＰＯＥ−ラウリル硫酸トリエタノールアミン、ＰＯＥ−ラウリル硫酸ナトリウム等）；Ｎ−アシルサルコシン酸（例えば、ラウロイルサルコシンナトリウム等）；高級脂肪酸アミドスルホン酸塩（例えば、Ｎ‐ステアロイル‐Ｎ‐メチルタウリンナトリウム、Ｎ−ミリストイル−Ｎ−メチルタウリンナトリウム、ヤシ油脂肪酸メチルタウリッドナトリウム、ラウリルメチルタウリッドナトリウム等）；リン酸エステル塩（ＰＯＥ−オレイルエーテルリン酸ナトリウム、ＰＯＥ−ステアリルエーテルリン酸等）；スルホコハク酸塩（例えば、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等）；アルキルベンゼンスルホン酸塩（例えば、リニアドデシルベンゼンスルホン酸ナトリウム、リニアドデシルベンゼンスルホン酸トリエタノールアミン、リニアドデシルベンゼンスルホン酸等）；高級脂肪酸エステル硫酸エステル塩（例えば、硬化ヤシ油脂肪酸グリセリン硫酸ナトリウム等）；Ｎ−アシルグルタミン酸塩（例えば、Ｎ−ラウロイルグルタミン酸モノナトリウム、Ｎ−ステアロイルグルタミン酸ジナトリウム、Ｎ−ミリストイル−Ｌ−グルタミン酸モノナトリウム等）；硫酸化油（例えば、ロート油等）；ＰＯＥ−アルキルエーテルカルボン酸；ＰＯＥ−アルキルアリルエーテルカルボン酸塩；α-オレフィンスルホン酸塩；高級脂肪酸エステルスルホン酸塩；二級アルコール硫酸エステル塩；高級脂肪酸アルキロールアミド硫酸エステル塩；ラウロイルモノエタノールアミドコハク酸ナトリウム；Ｎ−パルミトイルアスパラギン酸ジトリエタノールアミン；カゼインナトリウム等を使用することができる。
【００３１】
洗浄性及び泡立ち性の観点から、アニオン性界面活性剤は、例えば、ポリオキシエチレンアルキルエーテル硫酸塩及び／又はアシルメチルタウリン塩を含むと好ましい。
【００３２】
アニオン性界面活性剤の含有率は、組成物の質量に対して、２質量％以上であると好ましく、３質量％以上であるとより好ましく、４質量％以上であるとさらに好ましい。アニオン性界面活性剤の含有率が２質量％未満であると、洗浄性が低下すると共に、組成物の透明性が低下してしまう。アニオン性界面活性剤の含有率は、組成物の質量に対して、１７．５質量％以下、１７質量％以下、１５質量％以下、１３質量％以下、又は１１質量％以下であると好ましい。この範囲であれば、高い洗浄性及び泡立ち性を得ることができる。
【００３３】
［（Ｂ）両性界面活性剤］
両性界面活性剤としては、例えば、イミダゾリン系両性界面活性剤（例えば、２−ウンデシル−Ｎ，Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩等）；ベタイン系界面活性剤（例えば、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタイン等）等が挙げられる。
【００３４】
洗浄性及び泡立ち性の観点から、両性界面活性剤はベタイン系が好ましい。両性界面活性剤は、例えば、ヤシ油脂肪酸アミドプロピルベタイン及び／又はイミダゾリニウムベタインを含むと好ましい。
【００３５】
両性界面活性剤の含有率は、組成物の質量に対して、１質量％以上であると好ましく、１．５質量％以上であるとより好ましく、２質量％以上であるとさらに好ましい。両性界面活性剤の含有率が１質量％未満であると、組成物の透明性が低下してしまう。両性界面活性剤の含有率は、組成物の質量に対して、１７．５質量％以下、１７質量％以下、１５質量％以下、１３質量％以下、１１質量％以下、９質量％以下、又は７質量％以下であると好ましい。この範囲であれば、高い洗浄性及び泡立ち性を得ることができる。
【００３６】
［（Ｃ）非イオン性界面活性剤］
非イオン性界面活性剤は、例えば、ポリオキシアルキレン脂肪酸グリセリルを含むことができる。
【００３７】
非イオン界面活性剤としては、例えば、ＰＯＥ−ソルビタン脂肪酸エステル（例えば、ＰＯＥ−ソルビタンモノオレエート、ＰＯＥ−ソルビタンモノステアレート、ＰＯＥ−ソルビタンモノオレエート、ＰＯＥ−ソルビタンテトラオレエート等）；ＰＯＥ−ソルビット脂肪酸エステル（例えば、ＰＯＥ−ソルビットモノラウレート、ＰＯＥ−ソルビットモノオレエート、ＰＯＥ−ソルビットペンタオレエート、ＰＯＥ−ソルビットモノステアレート等）；ＰＯＥ−グリセリン脂肪酸エステル（例えば、ＰＯＥ−グリセリンモノステアレート、ＰＯＥ−グリセリンモノイソステアレート、ＰＯＥ−グリセリントリイソステアレート等のＰＯＥ−モノオレエート等）；ＰＯＥ−脂肪酸エステル（例えば、ＰＯＥ−ジステアレート、ＰＯＥ−モノジオレエート、ジステアリン酸エチレングリコール等）；ＰＯＥ−アルキルエーテル（例えば、ＰＯＥ−ラウリルエーテル、ＰＯＥ−オレイルエーテル、ＰＯＥ−ステアリルエーテル、ＰＯＥ−ベヘニルエーテル、ＰＯＥ−２−オクチルドデシルエーテル、ＰＯＥ−コレスタノールエーテル等）；プルロニック型（例えば、プルロニック等）；ＰＯＥ・ＰＯＰ−アルキルエーテル（例えば、ＰＯＥ・ＰＯＰ−セチルエーテル、ＰＯＥ・ＰＯＰ−２−デシルテトラデシルエーテル、ＰＯＥ・ＰＯＰ−モノブチルエーテル、ＰＯＥ・ＰＯＰ−水添ラノリン、ＰＯＥ・ＰＯＰ−グリセリンエーテル等）；テトラＰＯＥ・テトラＰＯＰ−エチレンジアミン縮合物（例えば、テトロニック等）；ＰＯＥ−ヒマシ油硬化ヒマシ油誘導体（例えば、ＰＯＥ−ヒマシ油、ＰＯＥ−硬化ヒマシ油、ＰＯＥ−硬化ヒマシ油モノイソステアレート、ＰＯＥ−硬化ヒマシ油トリイソステアレート、ＰＯＥ−硬化ヒマシ油モノピログルタミン酸モノイソステアリン酸ジエステル、ＰＯＥ−硬化ヒマシ油マレイン酸等）；ＰＯＥ−ミツロウ・ラノリン誘導体（例えば、ＰＯＥ−ソルビットミツロウ等）；アルカノールアミド（例えば、ヤシ油脂肪酸ジエタノールアミド、ラウリン酸モノエタノールアミド、脂肪酸イソプロパノールアミド等）；ＰＯＥ−プロピレングリコール脂肪酸エステル；ＰＯＥ−アルキルアミン；ＰＯＥ−脂肪酸アミド；ショ糖脂肪酸エステル；アルキルエトキシジメチルアミンオキシド；トリオレイルリン酸等が挙げられる。
【００３８】
洗浄性及び泡立ち性の観点から、非イオン性界面活性剤は、例えば、イソステアリン酸ポリオキシエチレングリセリルを含むと好ましい。非イオン性界面活性剤のＨＬＢは９以上であると好ましく、１０以上であるとより好ましい。ＨＬＢが９未満であると、組成物の透明性が低下してしまう。非イオン性界面活性剤のＨＬＢは１４以下であると好ましく、１３以下であるとより好ましい。ＨＬＢが１４を超えると、洗浄性が低下すると共に、ポンプフォーマによる泡吐出性も低下してしまう。
【００３９】
本開示の洗浄剤組成物は、グリセリンモノ脂肪酸エステル又はモノアルキルモノグリセリルエーテルを含まないと好ましい。ここでいうグリセリンモノ脂肪酸エステル及びモノアルキルモノグリセリルエーテルとは、下記化４及び化５に示す化合物をいう。化４に示す化合物が組成物に含まれると、洗浄剤組成物が不透明になってしまう。また、化４及び化５に示す化合物が組成物に含まれると、泡立ちが悪くなってしまう。さらに、化５に示す化合物が組成物に含まれると使用時にべたつきが生じてしまう。
【００４０】
【化４】
2018074149.tif 000005
（Ｒ1、Ｒ2及びＲ3のうち、いずれか１つは炭素数９以上のアルキル基又はアシル基であり、他の２つは水素基（−Ｈ）である。）
【化５】
2018074149.tif 000006
（Ｒ４、Ｒ５、Ｒ６及びＲ７のうち、いずれか１つは炭素数８以上のアルキル基又はアシル基であり、他の３つは水素基（−Ｈ）である。）
【００４１】
非イオン性界面活性剤の含有率は、組成物の質量に対して、２．５質量％以上であると好ましく、３質量％以上であるとより好ましく、４質量％以上であるとより好ましく、５質量％以上であるとより好ましい。非イオン性界面活性剤が２．５質量％未満であると、洗浄性が低下してしまう。ただし、後述するイオン性比が０．８以上である場合には、非イオン性界面活性剤の含有率は、組成物の質量に対して、２質量％以上、好ましくは３質量％以上とすることができる。非イオン性界面活性剤の含有率は、組成物の質量に対して、１７質量％以下、１５質量％以下、１３質量％以下、１１質量％以下、９質量％以下、又は７質量％以下であると好ましい。
【００４２】
［（Ｄ）油性成分］
油性成分としては、例えば、液体油脂、固体油脂、ロウ、炭化水素、高級脂肪酸、高級アルコール、合成エステル油、シリコーン油等を使用することができる。
【００４３】
液体油脂としては、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン等が挙げられる。
【００４４】
固体油脂としては、例えば、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油等が挙げられる。
【００４５】
ロウ類としては、例えば、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル等が挙げられる。
【００４６】
炭化水素油としては、例えば、流動パラフィン、オゾケライト、スクワラン、プリスタン、パラフィン、セレシン、スクワレン、ワセリン、マイクロクリスタリンワックス等が挙げられる。
【００４７】
高級脂肪酸としては、例えば、ラウリン酸、ミリスチン酸、パルミチン酸、ステアリン酸、ベヘン酸、オレイン酸、ウンデシレン酸、トール酸、イソステアリン酸、リノール酸、リノレイン酸、エイコサペンタエン酸（ＥＰＡ）、ドコサヘキサエン酸（ＤＨＡ）等が挙げられる。
【００４８】
高級アルコールとしては、例えば、直鎖アルコール（例えば、ラウリルアルコール、セチルアルコール、ステアリルアルコール、ベヘニルアルコール、ミリスチルアルコール、オレイルアルコール、セトステアリルアルコール等）；分枝鎖アルコール（例えば、モノステアリルグリセリンエーテル(バチルアルコール)、２−デシルテトラデシノール、ラノリンアルコール、コレステロール、フィトステロール、ヘキシルドデカノール、イソステアリルアルコール、オクチルドデカノール等）等を使用することができる。
【００４９】
合成エステル油としては、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、１２−ヒドロキシステアリン酸コレステリル、ジ−２−エチルヘキサン酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ−２−ヘプチルウンデカン酸グリセリン、トリ−２−エチルヘキサン酸トリメチロールプロパン、トリイソステアリン酸トリメチロールプロパン、テトラ−２−エチルヘキサン酸ペンタエリスリトール、トリ−２−エチルヘキサン酸グリセリン、トリオクタン酸グリセリン、トリイソパルミチン酸グリセリン、トリイソステアリン酸トリメチロールプロパン、セチル２−エチルヘキサノエート、２−エチルヘキシルパルミテート、トリミリスチン酸グリセリン、トリ−２−ヘプチルウンデカン酸グリセライド、ヒマシ油脂肪酸メチルエステル、オレイン酸オレイル、アセトグリセライド、パルミチン酸２−ヘプチルウンデシル、アジピン酸ジイソブチル、Ｎ−ラウロイル−Ｌ−グルタミン酸−２−オクチルドデシルエステル、アジピン酸ジ−２−ヘプチルウンデシル、エチルラウレート、セバシン酸ジ−２−エチルヘキシル、ミリスチン酸２−ヘキシルデシル、パルミチン酸２−ヘキシルデシル、アジピン酸２−ヘキシルデシル、セバシン酸ジイソプロピル、コハク酸２−エチルヘキシル、クエン酸トリエチル等が挙げられる。
【００５０】
シリコーン油としては、ジメチルポリシロキサン、メチルハイドロジェンポリシロキサン、メチルフェニルポリシロキサン、ステアロキシメチルポリシロキサン、ポリエーテル変性オルガノポリシロキサン、フルオロアルキル・ポリオキシアルキレン共変性オルガノポリシロキサン、アルキル変性オルガノポリシロキサン、末端変性オルガノポリシロキサン、フッ素変性オルガノポリシロキサン、アミノ変性オルガノポリシロキサン、シリコーンゲル、アクリルシリコーン、トリメチルシロキシケイ酸、シリコーンＲＴＶゴム等のシリコーン化合物等が挙げられる。
【００５１】
油性成分の含有率は、組成物の質量に対して、０．２質量％以上であると好ましく、０．５質量％以上であるとより好ましく、１質量％以上であるとさらに好ましい。０．２質量％未満であると、洗浄性が低下してしまう。油性成分の含有率は、組成物の質量に対して、５質量％以下であると好ましく、４質量％以下であるとより好ましい。５質量％を超えると起泡性が低下してしまう。
【００５２】
［（Ｅ）起泡剤（増泡剤）］
本開示の洗浄剤組成物は、上述の成分に加えて、さらに起泡剤（増泡剤、コサーファクタント）を含有することができる。起泡剤とは、本開示の洗浄剤組成物の泡立ちを改善するものである。起泡剤としては、例えば、水溶性多価アルコール及び／又はその誘導体を使用することができる。起泡剤の例としては、オクトキシグリセリン、イソオクタン酸グリセリル、ラウリン酸ポリグリセリル−２、モノオクタン酸グリセリル等を挙げることができる。
【００５３】
起泡剤は、下記化６に示される化合物のうちの少なくとも１つとすることができる。下記化６に示される化合物によれば、洗浄剤組成物の透明性を低下させることなく、泡立ちをよくすることができる。上記化４に示すようなアルキル基又はアシル基の炭素数が９以上の化合物となると、外観の安定性が低下するのみならず、洗浄性、起泡性及び泡吐出性も低下してしまう。
【００５４】
【化６】
2018074149.tif 000007
（Ｒ８、Ｒ９及びＲ１０のうち、いずれか１つは炭素数８以下のアルキル基又はアシル基であり、他の２つは水素基（−Ｈ）である。）
【００５５】
起泡剤の含有率は、組成物の質量に対して、０．４質量％以上であると好ましく、０．５質量％以上であるとより好ましく、１質量％以上であるとさらに好ましい。起泡剤の含有率は、組成物の質量に対して、５質量％以下であると好ましく、３質量％以下であるとより好ましい。５質量％を超えると安定な外観が得られなくなってしまう。
【００５６】
［（Ｆ）水］
本開示の洗浄剤組成物は、上述の成分に加えて、さらに水を含有することができる。水としては、化粧料、医薬部外品等に使用される水を使用することができ、例えば、精製水、イオン交換水、水道水等を使用することができる。水相は、目的に応じて、水溶性アルコールをさらに含有することができる。
【００５７】
水の含有率は、組成物の質量に対して、６０質量％以上とすることができる。水の含有率は、組成物の質量に対して、８５質量％以下とすることができる。水の含有率が上記範囲にあると、本開示の組成物をポンプフォーマで好適に使用することができる。
【００５８】
以下の数１で表される、「（Ａ）アニオン性界面活性剤、（Ｂ）両性界面活性剤、（Ｃ）非イオン性界面活性剤及び（Ｄ）油性成分の合計質量」に対する「（Ａ）アニオン性界面活性剤及び（Ｂ）両性界面活性剤の合計質量」の比（本明細書において「イオン性比」と称する）は、０．３５以上であると好ましく、０．４以上であるとより好ましく、０．５以上であるとさらに好ましい。イオン性比が０．３５未満であると、泡立ちやポンプフォーマからの泡吐出性が低下してしまう。イオン性比は、０．９以下であると好ましい。イオン性比が０．９を超えると洗浄力が低下してしまう。なお、数１において、符号は各成分の質量を表記している。
【００５９】
【数１】
2018074149.tif 000008
【００６０】
以下の数２で表される、「（Ａ）アニオン性界面活性剤及び（Ｂ）両性界面活性剤の合計質量」に対する「（Ａ）アニオン性界面活性剤の質量」の比（本明細書において「アニオン性比」と称する）は、０．１以上であると好ましく、０．１５以上であるとより好ましく、０．２以上であるとより好ましく、０．３以上であるとより好ましく、０．４以上であるとより好ましく、０．５以上であるとさらに好ましい。イオン性比が０．１未満であると、洗浄力及び起泡性が低下してしまう。イオン性比は、０．９以下であると好ましく、０．８以下であるとより好ましい。イオン性比が０．９を超えると、白濁して透明な組成物が形成されなくなる。また、起泡性やポンプフォーマによる泡吐出性も低下してしまう。なお、数２において、符号は各成分の質量を表記している。
【００６１】
【数２】
2018074149.tif 000009
【００６２】
［その他］
本開示の洗浄剤組成物は、本開示の効果を阻害しない範囲において、他の成分、例えば、水性溶媒、カチオン界面活性剤、親油性非イオン性界面活性剤、粉体、保湿剤、水溶性高分子、増粘剤、皮膜剤、紫外線吸収剤、金属イオン封鎖剤、アミノ酸、有機アミン、高分子エマルジョン、ｐＨ調整剤、皮膚栄養剤、ビタミン、酸化防止剤、酸化防止助剤、香料等を必要に応じて適宜含有することができる。
【００６３】
水性溶媒としては、例えば、水、アルコール、又はこれらの混合物を挙げることができる。
【００６４】
水溶性アルコールとしては、例えば、低級アルコール、多価アルコール、多価アルコール重合体、２価のアルコールアルキルエーテル類、２価アルコールアルキルエーテル類、２価アルコールエーテルエステル、グリセリンモノアルキルエーテル、糖アルコール、単糖、オリゴ糖、多糖およびそれらの誘導体等から選ばれる少なくとも１つを挙げることができる。
【００６５】
低級アルコールとしては、例えば、エタノール、プロパノール、イソプロパノール、イソブチルアルコール、ｔ−ブチルアルコール等が挙げられる。
【００６６】
多価アルコールとしては、例えば、２価のアルコール（例えば、エチレングリコール、プロピレングリコール、トリメチレングリコール、１，２−ブチレングリコール、１，３−ブチレングリコール、テトラメチレングリコール、２，３−ブチレングリコール、ペンタメチレングリコール、２−ブテン−１，４−ジオール、ヘキシレングリコール、オクチレングリコール等）；３価のアルコール（例えば、グリセリン、トリメチロールプロパン等）；４価アルコール（例えば、１，２，６−ヘキサントリオール等のペンタエリスリトール等）；５価アルコール（例えば、キシリトール等）；６価アルコール（例えば、ソルビトール、マンニトール等）；多価アルコール重合体（例えば、ジエチレングリコール、ジプロピレングリコール、トリエチレングリコール、ポリプロピレングリコール、テトラエチレングリコール、ジグリセリン、ポリエチレングリコール、トリグリセリン、テトラグリセリン、ポリグリセリン等）；２価のアルコールアルキルエーテル類（例えば、エチレングリコールモノメチルエーテル、エチレングリコールモノエチルエーテル、エチレングリコールモノブチルエーテル、エチレングリコールモノフェニルエーテル、エチレングリコールモノヘキシルエーテル、エチレングリコールモノ２−メチルヘキシルエーテル、エチレングリコールイソアミルエーテル、エチレングリコールベンジルエーテル、エチレングリコールイソプロピルエーテル、エチレングリコールジメチルエーテル、エチレングリコールジエチルエーテル、エチレングリコールジブチルエーテル等）；２価アルコールアルキルエーテル類（例えば、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールブチルエーテル、ジエチレングリコールメチルエチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノブチルエーテル、プロピレングリコールイソプロピルエーテル、ジプロピレングリコールメチルエーテル、ジプロピレングリコールエチルエーテル、ジプロピレングリコールブチルエーテル等）；２価アルコールエーテルエステル（例えば、エチレングリコールモノメチルエーテルアセテート、エチレングリコールモノエチルエーテルアセテート、エチレングリコールモノブチルエーテルアセテート、エチレングリコールモノフェニルエーテルアセテート、エチレングリコールジアジベート、エチレングリコールジサクシネート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノフェニルエーテルアセテート等）；グリセリンモノアルキルエーテル（例えば、キシルアルコール、セラキルアルコール、バチルアルコール等）；糖アルコール（例えば、ソルビトール、マルチトール、マルトトリオース、マンニトール、ショ糖、エリトリトール、グルコース、フルクトース、デンプン分解糖、マルトース、キシリトース、デンプン分解糖還元アルコール等）；グリソリッド；テトラハイドロフルフリルアルコール；ＰＯＥ−テトラハイドロフルフリルアルコール；ＰＯＰ−ブチルエーテル；ＰＯＰ・ＰＯＥ−ブチルエーテル；トリポリオキシプロピレングリセリンエーテル；ＰＯＰ−グリセリンエーテル；ＰＯＰ−グリセリンエーテルリン酸；ＰＯＰ・ＰＯＥ−ペンタンエリスリトールエーテル、ポリグリセリン等が挙げられる。
【００６７】
単糖としては、例えば、三炭糖（例えば、Ｄ−グリセリルアルデヒド、ジヒドロキシアセトン等）、四炭糖（例えば、Ｄ−エリトロ−ス、Ｄ−エリトルロ−ス、Ｄートレオ−ス、エリスリトール等）、五炭糖（例えば、Ｌ−アラビノ−ス、Ｄ−キシロ−ス、Ｌ−リキソ−ス、Ｄ−アラビノ−ス、Ｄ−リボ−ス、Ｄ−リブロ−ス、Ｄ−キシルロ−ス、Ｌ−キシルロ−ス等）、六炭糖（例えば、Ｄ−グルコ−ス、Ｄ−タロ−ス、Ｄ−ブシコ−ス、Ｄ−ガラクト−ス、Ｄ−フルクト−ス、Ｌ−ガラクト−ス、Ｌ−マンノ−ス、Ｄ−タガト−ス等）、七炭糖（例えば、アルドヘプト−ス、ヘプロ−ス等）、八炭糖（例えば、オクツロ−ス等）、デオキシ糖（例えば、２−デオキシ−Ｄ−リボ−ス、６−デオキシ−Ｌ−ガラクト−ス、６−デオキシ−Ｌ−マンノ−ス等）、アミノ糖（例えば、Ｄ−グルコサミン、Ｄ−ガラクトサミン、シアル酸、アミノウロン酸、ムラミン酸等）、ウロン酸（例えば、Ｄ−グルクロン酸、Ｄ−マンヌロン酸、Ｌ−グルロン酸、Ｄ−ガラクツロン酸、Ｌ−イズロン酸等）等から選ばれる少なくとも１つを挙げることができる。
【００６８】
オリゴ糖としては、例えば、ショ糖、グンチアノース、ウンベリフェロース、ラクトース、プランテオース、イソリクノース類、α，α−トレハロース、ラフィノース、リクノース類、ウンビリシン、スタキオースベルバスコース類等から選ばれる少なくとも１つを挙げることができる。
【００６９】
多糖としては、例えば、セルロース、クインスシード、コンドロイチン硫酸、デンプン、ガラクタン、デルマタン硫酸、グリコーゲン、アラビアガム、ヘパラン硫酸、ヒアルロン酸、トラガントガム、ケラタン硫酸、コンドロイチン、キサンタンガム、ムコイチン硫酸、グアガム、デキストラン、ケラト硫酸、ローカストビーンガム、サクシノグルカン、カロニン酸等から選ばれる少なくとも１つを挙げることができる。
【００７０】
その他のポリオールとしては、例えば、ポリオキシエチレンメチルグルコシド（グルカムＥ−１０）、ポリオキシプロピレンメチルグルコシド（グルカムＰ−１０）等から選ばれる少なくとも１つを挙げることができる。
【００７１】
カチオン界面活性剤としては、例えば、アルキルトリメチルアンモニウム塩（例えば、塩化ステアリルトリメチルアンモニウム、塩化ラウリルトリメチルアンモニウム等）；アルキルピリジニウム塩（例えば、塩化セチルピリジニウム等）；塩化ジステアリルジメチルアンモニウムジアルキルジメチルアンモニウム塩；塩化ポリ（Ｎ，Ｎ’−ジメチル−３，５−メチレンピペリジニウム)；アルキル四級アンモニウム塩；アルキルジメチルベンジルアンモニウム塩；アルキルイソキノリニウム塩；ジアルキルモリホニウム塩；ＰＯＥ−アルキルアミン；アルキルアミン塩；ポリアミン脂肪酸誘導体；アミルアルコール脂肪酸誘導体；塩化ベンザルコニウム；塩化ベンゼトニウム等が挙げられる。
【００７２】
親油性非イオン界面活性剤としては、例えば、ソルビタン脂肪酸エステル（例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等）；グリセリンポリグリセリン脂肪酸（例えば、モノ綿実油脂肪酸グリセリン、モノエルカ酸グリセリン、セスキオレイン酸グリセリン、モノステアリン酸グリセリン、α,α'−オレイン酸ピログルタミン酸グリセリン、モノステアリン酸グリセリンリンゴ酸等）；プロピレングリコール脂肪酸エステル（例えば、モノステアリン酸プロピレングリコール等）；硬化ヒマシ油誘導体；グリセリンアルキルエーテル等が挙げられる。
【００７３】
本明細書において使用する用語「粉体」は「粉末」と同義である。粉体は、化粧料用途等、一般に用い得るものであれば特に限定されるものではない。粉末としては、例えば、無機粉末（例えば、タルク、カオリン、雲母、絹雲母(セリサイト)、白雲母、金雲母、合成雲母、紅雲母、黒雲母、リチア雲母、焼成雲母、焼成タルク、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、シリカ、ゼオライト、ガラス、硫酸バリウム、焼成硫酸カルシウム(焼セッコウ)、リン酸カルシウム、フッ素アパタイト、ヒドロキシアパタイト、セラミックパウダー、金属石鹸(例えば、ミリスチン酸亜鉛、パルミチン酸カルシウム、ステアリン酸アルミニウム)、窒化ホウ素等）；有機粉末（例えば、ポリアミド樹脂粉末(ナイロン粉末)、ポリエチレン粉末、ポリメタクリル酸メチル粉末、ポリスチレン粉末、スチレンとアクリル酸の共重合体樹脂粉末、ベンゾグアナミン樹脂粉末、ポリ四フッ化エチレン粉末、セルロース粉末、シリコーン樹脂粉末、シルクパウダー、ウールパウダー、ウレタンパウダー等）；無機白色顔料（例えば、二酸化チタン、酸化亜鉛等）；無機赤色系顔料（例えば、酸化鉄（ベンガラ）、チタン酸鉄等）；無機褐色系顔料（γ−酸化鉄等）、無機黄色系顔料（黄酸化鉄、黄土等）、無機黒色系顔料（黒酸化鉄、カーボンブラック、低次酸化チタン等）、無機紫色系顔料（例えば、マンガンバイオレット、コバルトバイオレット等）；無機緑色系顔料（例えば、酸化クロム、水酸化クロム、チタン酸コバルト等）；無機青色系顔料（例えば、群青、紺青等）；パール顔料（例えば、酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等）；金属粉末顔料（例えば、アルミニウムパウダー、カッパーパウダー等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号及び青色１号等）；天然色素（例えば、クロロフィル、β−カロチン等）等を使用することができる。
【００７４】
保湿剤としては、例えば、ポリエチレングリコール、プロピレングリコール、グリセリン、１，３−ブチレングリコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、アルキレンオキシド誘導体、短鎖可溶性コラーゲン、ジグリセリン（ＥＯ）ＰＯ付加物、イザヨイバラ抽出物、セイヨウノコギリソウ抽出物、メリロート抽出物等が挙げられる。
【００７５】
天然の水溶性高分子としては、例えば、植物系高分子（例えば、アラビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）、グリチルリチン酸）；微生物系高分子（例えば、キサンタンガム、デキストラン、サクシノグルカン、ブルラン等）；動物系高分子（例えば、コラーゲン、カゼイン、アルブミン、ゼラチン等）等が挙げられる。
【００７６】
半合成の水溶性高分子としては、例えば、デンプン系高分子（例えば、カルボキシメチルデンプン、メチルヒドロキシプロピルデンプン等）；セルロース系高分子（メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム、結晶セルロース、セルロース末等）；アルギン酸系高分子（例えば、アルギン酸ナトリウム、アルギン酸プロピレングリコールエステル等）等が挙げられる。
【００７７】
合成の水溶性高分子としては、例えば、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコール２０，０００、４０，０００、６０，００００のポリオキシエチレンポリオキシプロピレン共重合体等）；アクリル系高分子（例えば、ポリアクリル酸ナトリウム、ポリエチルアクリレート、ポリアクリルアミド等）；ポリエチレンイミン；カチオンポリマー等が挙げられる。
【００７８】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、カルボキシメチルセルロース（ＣＭＣ）、ヒドロキシエチルセルロース、ヒドロキシプロピルセルロース、ポリビニルアルコール（ＰＶＡ）、ポリビニルメチルエーテル（ＰＶＭ）、ＰＶＰ（ポリビニルピロリドン）、ポリアクリル酸ナトリウム、カルボキシビニルポリマー、ローカストビーンガム、グアガム、タマリントガム、ジアルキルジメチルアンモニウム硫酸セルロース、キサンタンガム、ケイ酸アルミニウムマグネシウム、ベントナイト、ヘクトライト、ケイ酸アルミニウムマグネシウム（ビーガム）、ラポナイト、無水ケイ酸、タウレート系合成高分子、アクリレート系合成高分子等が挙げられる。
【００７９】
皮膜剤としては、例えば、アニオン性皮膜剤（例えば、（メタ）アクリル酸／（メタ）アクリル酸エステル共重合体、メチルビニルエーテル／無水マレイン酸高重合体等）、カチオン性皮膜剤（例えば、カチオン化セルロース、ジメチルジアリルアンモニウムクロライド重合体、ジメチルジアリルアンモニウムクロライド／アクリルアミド共重合体等）、ノニオン性皮膜剤（例えば、ポリビニルアルコール、ポリビニルピロリドン、ポリ酢酸ビニル、ポリアクリル酸エステル共重合体、（メタ）アクリルアミド、高分子シリコーン、シリコーンレジン、トリメチルシロキシケイ酸等）が挙げられる。
【００８０】
紫外線吸収剤としては、例えば、安息香酸系紫外線吸収剤（例えば、パラアミノ安息香酸(以下、ＰＡＢＡと略す)、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡエチルエステル等）；アントラニル酸系紫外線吸収剤（例えば、ホモメンチル-N-アセチルアントラニレート等）；サリチル酸系紫外線吸収剤（例えば、アミルサリシレート、メンチルサリシレート、ホモメンチルサリシレート、オクチルサリシレート、フェニルサリシレート、ベンジルサリシレート、ｐ−イソプロパノールフェニルサリシレート等）；桂皮酸系紫外線吸収剤（例えば、オクチルメトキシシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート(２−エチルヘキシル−ｐ−メトキシシンナメート)、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル-ジパラメトキシシンナメート等）；ベンゾフェノン系紫外線吸収剤（例えば、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等）；３−（４’−メチルベンジリデン）−ｄ，ｌ−カンファー、３−ベンジリデン−ｄ，ｌ−カンファー；２−フェニル−５−メチルベンゾキサゾール；２，２’−ヒドロキシ−５−メチルフェニルベンゾトリアゾール；２−（２’−ヒドロキシ−５’−ｔ−オクチルフェニル） ベンゾトリアゾール；２−（２’−ヒドロキシ−５’−メチルフェニルベンゾトリアゾール；ジベンザラジン；ジアニソイルメタン；４−メトキシ−４’−ｔ−ブチルジベンゾイルメタン；５−（３，３−ジメチル−２−ノルボルニリデン）−３−ペンタン−２−オン、ジモルホリノピリダジノ；２−エチルヘキシル−２−シアノ−３，３−ジフェニルアクリレート；２，４−ビス−｛［４−（２−エチルヘキシルオキシ）−２−ヒドロキシ］−フェニル｝−６−（４−メトキシフェニル）−（１，３，５）−トリアジン等が挙げられる。
【００８１】
金属イオン封鎖剤としては、例えば、１−ヒドロキシエタン−１，１−ジフォスホン酸、１−ヒドロキシエタン−１，１−ジフォスホン酸四ナトリウム塩、エデト酸二ナトリウム、エデト酸三ナトリウム、エデト酸四ナトリウム、クエン酸ナトリウム、ポリリン酸ナトリウム、メタリン酸ナトリウム、グルコン酸、リン酸、クエン酸、アスコルビン酸、コハク酸、エデト酸、エチレンジアミンヒドロキシエチル三酢酸３ナトリウム等が挙げられる。
【００８２】
アミノ酸としては、例えば、中性アミノ酸（例えば、スレオニン、システイン等）；塩基性アミノ酸（例えば、ヒドロキシリジン等）等が挙げられる。また、アミノ酸誘導体として、例えば、アシルサルコシンナトリウム(ラウロイルサルコシンナトリウム)、アシルグルタミン酸塩、アシルβ-アラニンナトリウム、グルタチオン、ピロリドンカルボン酸等が挙げられる。
【００８３】
有機アミンとしては、例えば、モノエタノールアミン、ジエタノールアミン、トリエタノールアミン、モルホリン、トリイソプロパノールアミン、２−アミノ−２−メチル−１,３−プロパンジオール、２−アミノ−２−メチル−１−プロパノール等が挙げられる。
【００８４】
高分子エマルジョンとしては、例えば、アクリル樹脂エマルジョン、ポリアクリル酸エチルエマルジョン、アクリルレジン液、ポリアクリルアルキルエステルエマルジョン、ポリ酢酸ビニル樹脂エマルジョン、天然ゴムラテックス等が挙げられる。
【００８５】
ｐＨ調整剤としては、例えば、乳酸−乳酸ナトリウム、クエン酸−クエン酸ナトリウム、コハク酸−コハク酸ナトリウム等の緩衝剤等が挙げられる。
【００８６】
ビタミン類としては、例えば、ビタミンＡ、Ｂ１、Ｂ２、Ｂ６、Ｃ、Ｅ及びその誘導体、パントテン酸及びその誘導体、ビオチン等が挙げられる。
【００８７】
酸化防止剤としては、例えば、トコフェロール類、ジブチルヒドロキシトルエン、ブチルヒドロキシアニソール、没食子酸エステル類等が挙げられる。
【００８８】
酸化防止助剤としては、例えば、リン酸、クエン酸、アスコルビン酸、マレイン酸、マロン酸、コハク酸、フマル酸、ケファリン、ヘキサメタフォスフェイト、フィチン酸、エチレンジアミン四酢酸等が挙げられる。
【００８９】
その他の配合可能成分としては、例えば、防腐剤（エチルパラベン、ブチルパラベン、クロルフェネシン、フェノキシエタノール等）；消炎剤（例えば、グリチルリチン酸誘導体、グリチルレチン酸誘導体、サリチル酸誘導体、ヒノキチオール、酸化亜鉛、アラントイン等）；美白剤（例えば、胎盤抽出物、ユキノシタ抽出物、アルブチン等）；各種抽出物（例えば、オウバク、オウレン、シコン、シャクヤク、センブリ、バーチ、セージ、ビワ、ニンジン、アロエ、ゼニアオイ、アイリス、ブドウ、ヨクイニン、ヘチマ、ユリ、サフラン、センキュウ、ショウキュウ、オトギリソウ、オノニス、ニンニク、トウガラシ、チンピ、トウキ、海藻等）、賦活剤（例えば、ローヤルゼリー、感光素、コレステロール誘導体等）；血行促進剤（例えば、ノニル酸ワレニルアミド、ニコチン酸ベンジルエステル、ニコチン酸β−ブトキシエチルエステル、カプサイシン、ジンゲロン、カンタリスチンキ、イクタモール、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等）；抗脂漏剤（例えば、硫黄、チアントール等）；抗炎症剤（例えば、トラネキサム酸、チオタウリン、ヒポタウリン等）等が挙げられる。
【００９０】
さらに、本開示の組成物は、カフェイン、タンニン、ベラパミル、トラネキサム酸及びその誘導体、甘草、カリン、イチヤクソウ等の各種生薬抽出物、酢酸トコフェロール、グリチルレジン酸、グリチルリチン酸及びその誘導体又はその塩等の薬剤、ビタミンＣ、アスコルビン酸リン酸マグネシウム、アスコルビン酸グルコシド、アルブチン、コウジ酸等の美白剤、アルギニン、リジン等のアミノ酸及びその誘導体、も適宜含有することができる。
【００９１】
本開示の洗浄剤組成物の粘度は、１００ｍＰａ・ｓ以下であると好ましい。１００ｍＰａ・ｓ以下であると、ポンプフォーマで本開示の洗浄剤組成物を好適に使用することができる。粘度は３０℃におけるブルックフィールド型粘度計（スピンドル番号７、回転数１０ｒｐｍ）で測定することができる。
【００９２】
本開示の洗浄剤組成物は、高い洗浄力を有する。例えば、ウォータプルーフタイプの化粧料（メーキャップ）であっても容易に落とすことができる。
【００９３】
本開示の洗浄剤組成物は、泡立ちがよい。これにより、洗浄剤組成物の洗浄力を高めることができると共に、使用者が良好な使用感を得ることができる。
【００９４】
本開示の洗浄剤組成物は、高圧ガスを使用することなく、ノズルを容器に手で押し込んで洗浄剤を泡として出すポンプフォーマ（泡立てポンプ）に適用することができる。本開示の洗浄剤組成物をポンプフォーマで起泡させると、きめ細かく、体積の大きい泡を形成することができる。このような泡を形成することによって、洗浄力を高めると共に、良好な感触を使用者に与えることができる。
【００９５】
本開示の組成物は、使用者に好感を与える透明な外観を有している。
【００９６】
本開示の洗浄剤組成物の製造方法について説明する。本開示の洗浄剤組成物は特定の方法にされることなく、一般に公知の方法によって作製することができる。例えば、上記各成分を混合することによって洗浄剤組成物を作製することができる。
【実施例】
【００９７】
本開示の洗浄剤組成物について、以下に例を挙げて説明する。しかしながら、本開示の洗浄剤組成物は以下の例に限定されるものではない。また、以下の実施例では、各試験例の洗浄剤組成物を化粧料の洗浄に適用した例について説明するが、本開示の組成物は化粧料用に限定されるものでもない。各表に示す各成分の含有率の単位は質量％である。【００９８】
洗浄剤組成物は、表１に記載の各成分を用いて作製した。表２以下に示す組成においては、表１に記載の符号をもって各成分を表記する。【００９９】
【表１】
2018074149.tif 000010
【０１００】
［試験例１〜３２］
各組成物について、洗浄性及び泡立ちの良さについて評価した。また、追加的に、各組成物について、外観上の安定性及びポンプフォーマによる泡吐出性についても評価した。各評価項目の評価基準は以下の通りである。試験例１〜３２に係る組成物の組成及び評価を表２〜９に示す。【０１０１】
［洗浄性］
専門パネル７名の顔に、ウォータプルーフタイプの油性ファンデーション及び口紅でもって化粧をした。化粧してから１時間経過後、洗浄剤組成物を２ｇ採り、顔上のファンデーション及び口紅になじませた。そして、水道水を使用して洗浄剤組成物と共にファンデーション及び口紅を洗い流した。このとき、専門パネル７名中、何名が十分にファンデーション及び口紅が落ちたかと感じたかによって洗浄剤組成物の洗浄性を評価した。以下に評価基準を示す。
Ａ：６〜７名が、十分に化粧が落ちたと評価した。
Ｂ：４〜５名が、十分に化粧が落ちたと評価した。
Ｃ：２〜３名が、十分に化粧が落ちたと評価した。
Ｄ：１名以下が、十分に化粧が落ちたと評価した。【０１０２】
［起泡性］
専門パネル７名の顔に、ウォータプルーフタイプの油性ファンデーションでもって化粧をした。化粧してから１時間経過後、洗浄剤組成物を２ｇ採り、顔上のファンデーションになじませた。そして、水道水を使用して洗浄剤組成物と共にファンデーションを洗い流す時の泡立ちを評価した。このとき、専門パネル７名中、何名が十分に泡立ったと感じたかによって洗浄剤組成物の起泡性を評価した。以下に評価基準を示す。
Ａ：６〜７名が、十分に泡立っていると評価した。
Ｂ：４〜５名が、十分に泡立っていると評価した。
Ｃ：２〜３名が、十分に泡立っていると評価した。
Ｄ：１名以下が、十分に泡立っていると評価した。【０１０３】
［外観安定性］
洗浄剤組成物の外観を観察して、以下の評価基準で洗浄剤組成物の外観安定性を評価した。
Ａ：洗浄剤組成物は透明である。
Ｂ及びＣ：評価不使用
Ｄ：洗浄剤組成物は半透明であるか、白濁している。【０１０４】
［泡吐出性］
洗浄剤組成物を泡立てた状態で吐出するポンプフォーマを用いてポンプフォーマから洗浄剤組成物を吐出させた。この時、ポンプフォーマから吐出され泡がきめ細かく、かつ体積が十分にあると専門パネル７名のうち何名が評価したかによって洗浄剤組成物の泡吐出性を評価した。使用したポンプフォーマは、市販のハンドソープ等に用いられている、手で可動式ノズルを上から容器に押し込んで泡を吐出させるタイプである。
Ａ：６〜７名が、吐出された泡がきめ細かく、かつ体積が十分にあると評価した。
Ｂ：４〜５名が、吐出された泡がきめ細かく、かつ体積が十分にあると評価した。
Ｃ：２〜３名が、吐出された泡がきめ細かく、かつ体積が十分にあると評価した。
Ｄ：１名以下が、吐出された泡がきめ細かく、かつ体積が十分にあると評価した。【０１０５】
［試験例１〜３］
試験例１〜３に係る組成物の組成及び評価を表２に示す。試験例１〜３においては、（Ａ）アニオン性界面活性剤及び（Ｂ）両性界面活性剤の含有率を変化させた。ただし、アニオン性比は一定になるようにした。【０１０６】
試験例１においては、組成物は不透明であり、良好な外観安定性を得ることができなかった。試験例１においては、その他の評価は行わなかった。試験例２及び３においては、いずれの評価項目についてＢ以上を得ることができた。これより、アニオン性界面活性剤の含有率は、２質量％以上であると好ましく、３質量％以上であるとより好ましく、４質量％以上であるとさらに好ましいと考えられる。両性界面活性剤の含有率は、１質量％以上であると好ましく、１．５質量％以上であるとより好ましく、２質量％以上であるとさらに好ましいと考えられる。【０１０７】
【表２】
2018074149.tif 000011
【０１０８】
［試験例４〜５］
試験例４〜５に係る組成物の組成及び評価を表３に示す。試験例４においては、試験例１〜３とは異なる（Ａ）アニオン性界面活性剤を使用した。試験例５においては、試験例１〜３とは異なる（Ｂ）両性界面活性剤を使用した。【０１０９】
試験例４及び５のいずれにおいても試験例２及び３と同等以上の評価を得ることができた。これより、本開示の組成物は、アニオン性界面活性剤及び両性界面活性剤の種類には影響されにくいものと考えられる。【０１１０】
【表３】
2018074149.tif 000012
【０１１１】
［試験例６〜７］
試験例６〜７に係る組成物の組成及び評価を表４に示す。試験例６〜７においては、上記試験例から（Ｃ）非イオン性界面活性剤の含有率を変化させた。【０１１２】
試験例６においては、良好な洗浄性を得ることができなかった。非イオン性界面活性剤の含有率が低い試験例６に係る組成物のほうが試験例７に係る組成物よりも洗浄性が低かった。また、試験例６においては、泡吐出性も低かった。一方、試験例７においては、良好な洗浄性及び泡吐出性を得ることができた。これより、非イオン性界面活性剤の含有率は、２．５質量％以上であると好ましく、３質量％以上であるとより好ましいと考えられる。【０１１３】
【表４】
2018074149.tif 000013
【０１１４】
［試験例８〜１５］
試験例８〜１５に係る組成物の組成及び評価を表５に示す。試験例８〜１５においては、上記試験例から（Ｃ）非イオン性界面活性剤の親水性（ＨＬＢ）が変化するように、非イオン性界面活性剤の種類を変化させた。【０１１５】
ＨＬＢ６の非イオン性界面活性剤を使用した試験例８及びＨＬＢ８の非イオン性界面活性剤を使用した試験例９では、良好な外観安定性を得ることができなかった。試験例８においては、その他の評価は行わなかった。試験例９では、洗浄性及び起泡性は不十分であったが、ＨＬＢ１０〜１３の非イオン性界面活性剤を使用した試験例１０〜１３においては、十分な洗浄性及び起泡性を得ることができた。また、試験例１０〜１３においては、外観安定性及び泡吐出性も良好であった。これより、非イオン性界面活性剤のＨＬＢは、９以上であると好ましく、１０以上であるとより好ましいと考えられる。一方で、ＨＬＢ１５の非イオン性界面活性剤を使用した試験例１４〜１５においては、十分な洗浄性及び泡吐出性を得ることができなかった。これより、非イオン性界面活性剤のＨＬＢは、１４以下であると好ましく、１３以下であるとより好ましいと考えられる。【０１１６】
【表５】
2018074149.tif 000014
【０１１７】
［試験例１６〜１９］
試験例１６〜１９に係る組成物の組成及び評価を表６に示す。試験例１６〜１９においては、上記試験例から（Ｄ）油性成分の含有率を変化させた。【０１１８】
油性成分の含有率が０．１質量％の試験例１６においては、十分な洗浄性を得ることができなかった。一方で、油性成分の含有率が０．３質量％及び４質量％の試験例１７及び１８においては、十分な洗浄性を得ることができた。これより、油性成分の含有率は、０．２質量％以上であると好ましく、０．５質量％以上であるとより好ましく、１質量％以上であるとさらに好ましいと考えられる。【０１１９】
また、油性成分の含有率が６質量％の試験例１９においては、十分な起泡性を得ることができなかった。一方で、試験例１７及び１８においては、十分な起泡性を得ることができた。これより、油性成分の含有率は、５質量％以下であると好ましく、４質量％以下であるとより好ましいと考えられる。【０１２０】
【表６】
2018074149.tif 000015
【０１２１】
［試験例２０〜２６］
試験例２０〜２６に係る組成物の組成及び評価を表７に示す。試験例２０〜２６においては、上記試験例から（Ｄ）油性成分の種類を変更した。【０１２２】
試験例２０〜２６のいずれにおいても、十分な洗浄性及び起泡性を得ることができた。したがって、組成物の洗浄性及び起泡性は、油性成分の種類には依存されにくいものと考えられる。【０１２３】
また、試験例２２〜２６においては、試験例２０及び２１よりも泡吐出性が良くなった。したがって、洗浄剤組成物をポンプフォーマで用いる場合には、油性成分（Ｄ３）〜（Ｄ７）を用いると好ましいと考えられる。【０１２４】
【表７】
2018074149.tif 000016
【０１２５】
［試験例２７〜２９］
試験例２７〜２９に係る組成物の組成及び評価を表８に示す。試験例２７〜２９においては、上記試験例から（Ｅ）起泡剤の含有率を変化させた。【０１２６】
起泡剤を含有しない試験例２７及び起泡剤が０．３質量％の試験例２８においては洗浄性及び起泡性が低いものとなった。一方、起泡剤が０．５質量％の試験例２９においては、十分な洗浄性及び起泡性を得ることができた。これより、起泡剤の含有率は、０．４質量％以上であると好ましく、０．５質量％以上であるとより好ましく、１質量％以上であるとさらに好ましいと考えられる。【０１２７】
【表８】
2018074149.tif 000017
【０１２８】
［試験例３０〜３２］
試験例３０〜３２に係る組成物の組成及び評価を表９に示す。試験例３０〜３２においては、上記試験例から（Ｅ）起泡剤の種類を変更した。【０１２９】
上記化５に示す化合物を含む試験例３０においては、十分な起泡性及び泡吐出性が得られなかった。ポリエチレングリコール脂肪酸エステルを用いた試験例３１においては、洗浄性、起泡性及び泡吐出性が十分ではなかった。したがって、成分（Ｅ２）及び（Ｅ３）は起泡剤としての作用効果は低いと考えられる。一方、試験例３２においては、いずれの項目もよい結果が得られた。これより、試験例１０及び２０も考慮すると、起泡剤は、成分（Ｅ１）及び（Ｅ４）が好ましいと考えられる。【０１３０】
【表９】
2018074149.tif 000018
【０１３１】
［試験例３３〜５２］
試験例１〜３２と同様の試験を行った。試験方法については、試験例１〜３２と同様である。評価方法については、専門パネルを５名とし、以下の評価基準を用いた以外は、試験例１〜３２と同様である。【０１３２】
［洗浄性］
Ａ：４〜５名が、十分に化粧が落ちたと評価した。
Ｂ：評価不使用
Ｃ：２〜３名が、十分に化粧が落ちたと評価した。
Ｄ：１名以下が、十分に化粧が落ちたと評価した。【０１３３】
［起泡性］
Ａ：４〜５名が、十分に泡立っていると評価した。
Ｂ：評価不使用
Ｃ：２〜３名が、十分に泡立っていると評価した。
Ｄ：１名以下が、十分に泡立っていると評価した。【０１３４】
［外観安定性］
洗浄剤組成物の外観を観察して、以下の評価基準で洗浄剤組成物の外観安定性を評価した。
Ａ：洗浄剤組成物は透明である。
Ｂ及びＣ：評価不使用
Ｄ：洗浄剤組成物は半透明であるか、白濁している。【０１３５】
［泡吐出性］
Ａ：４〜５名が、吐出された泡がきめ細かく、かつ体積が十分にあると評価した。
Ｂ：評価不使用
Ｃ：２〜３名が、吐出された泡がきめ細かく、かつ体積が十分にあると評価した。
Ｄ：１名以下が、吐出された泡がきめ細かく、かつ体積が十分にあると評価した。【０１３６】
［試験例３３〜４２］
試験例３３〜４２に係る組成物の組成及び評価を表１０及び１１に示す。試験例３３〜４２においてはイオン性比が変動するように成分（Ａ）〜（Ｄ）の含有率を変化させた。アニオン性比は一定になるようにした。【０１３７】
試験例３３においては洗浄性が得られなかった。一方、試験例３４〜４２においては、十分な洗浄性が得られた。これより、イオン性比は、０．９以下が好ましいと考えられる。【０１３８】
試験例３９〜４２においては、十分な起泡性が得られなかった。一方、試験例３３〜３８においては、十分な起泡性が得られた。これより、イオン性比は、０．３５以上が好ましく、０．４以上がより好ましいと考えられる。また、試験例３９〜４２においては、十分な泡吐出性が得られなかった。これより、泡吐出性を高めるためにもイオン性比は０．３５以上が好ましいと考えられる。【０１３９】
【表１０】
2018074149.tif 000019
【０１４０】
【表１１】
2018074149.tif 000020
【０１４１】
［試験例４３〜５２］
試験例４３〜５２に係る組成物の組成及び評価を表１２及び１３に示す。試験例４３〜５２においてはアニオン性比が変動するように（Ａ）アニオン性界面活性剤及び（Ｂ）両性界面活性剤の含有率を変化させた。イオン性比はほぼ一定になるようにした。【０１４２】
試験例４３においては洗浄性が得られなかった。また、十分な起泡性も得られなかった。一方、試験例４４〜５１においては、十分な洗浄性及び起泡性が得られた。これより、アニオン性比は、０．１以上が好ましく、０．１５以上がより好ましいと考えられる。【０１４３】
試験例５２においては、起泡性、外観安定性及び泡吐出性が得られなかった。一方、試験例４４〜５１においては、いずれの評価項目も良好であった。これより、アニオン性比は、０．９以下が好ましいと考えらえる。【０１４４】
【表１２】
2018074149.tif 000021
【０１４５】
【表１３】
2018074149.tif 000022
【０１４６】
試験例１〜５２より、アニオン性界面活性剤の含有率は、１７．５質量％以下が好ましく、１７質量％以下がより好ましいと考えらえる。両性界面活性剤の含有率は、１７．５質量％以下が好ましく、１７質量％以下がより好ましいと考えらえる。非イオン性界面活性剤の含有率は、１７質量％以下が好ましく、１５質量％以下がより好ましいと考えらえる。イオン性比が０．８以上である場合には、非イオン性界面活性剤の含有率は、２．５質量％以上、好ましくは３質量％以上とすることができると考えられる。【０１４７】
［試験例５３〜５６］
試験例５３〜５６に係る組成物の組成及び評価を表１４に示す。評価基準は試験例１〜３２と同じである。試験例５３〜５６においては、（Ｅ）起泡剤成分におけるアシル基の炭素数を変化させた。【０１４８】
上記化６に示す化合物において炭素数８のアシル基を有するモノグリセリンエステルを用いた試験例５３においては、いずれの評価項目も十分な評価を得ることができた。同様に、炭素数８のアルキル基を有するモノグリセリルエーテルを用いた試験例１０においても良好な結果が得られた。一方、炭素数１０のモノグリセリンエステルを用いた試験例５４においては、不透明な組成物が得られると共に、洗浄性、起泡性及び泡吐出性が十分ではなかった。したがって、化６に示す化合物において、アシル基及びアルキル基の炭素数は８以下であると好ましいと考えられる。【０１４９】
上記化５に示す化合物において炭素数８及び１０のアシル基を有するジグリセリンエステルを用いた試験例５５及び５６においては、十分な起泡性及び泡吐出性を得ることができなかった。炭素数１２のアシル基を有するジグリセリンエステルを用いた試験例３０においても同じ結果であった。したがって、炭素数８以上のジグリセリンエステルは、起泡剤として作用せず、泡立ちを低下させてしまうと考えられる【０１５０】
【表１４】
2018074149.tif 000023
【０１５１】
本発明の洗浄剤組成物は、上記実施形態及び実施例に基づいて説明されているが、上記実施形態及び実施例に限定されることなく、本発明の範囲内において、かつ本発明の基本的技術思想に基づいて、各開示要素（請求の範囲、明細書及び図面に記載の要素を含む）に対し種々の変形、変更及び改良を含むことができる。また、本発明の請求の範囲の範囲内において、各開示要素の多様な組み合わせ・置換ないし選択が可能である。【０１５２】
本発明のさらなる課題、目的及び形態（変更形態含む）は、請求の範囲を含む本発明の全開示事項からも明らかにされる。【０１５３】
本書に記載した数値範囲については、別段の記載のない場合であっても、当該範囲内に含まれる任意の数値ないし範囲が本書に具体的に記載されているものと解釈されるべきである。【０１５４】
上記実施形態の一部又は全部は、以下の付記のようにも記載されうるが、以下の記載には限定されない。各付記は、特許請求の範囲に記載の各請求項と組み合わせることもできる。
［付記１］
（Ａ）２質量％〜１７質量％のアニオン性界面活性剤と、
（Ｂ）２質量％〜１７質量％の両性界面活性剤と、
（Ｃ）４質量％〜１７質量％の非イオン性界面活性剤と、
（Ｄ）０．２質量％〜５質量％の油性成分と、
を含有し、
上記化４又は化５に示す化合物を実質量含まない、洗浄剤組成物。
［付記２］
（Ａ）２質量％〜１７．５質量％のアニオン性界面活性剤と、
（Ｂ）１質量％〜１７．５質量％の両性界面活性剤と、
（Ｃ）４質量％〜１７質量％の非イオン性界面活性剤と、
（Ｄ）０．２質量％〜５質量％の油性成分と、
を含有し、
上記化４又は化５に示す化合物を実質量含まない、洗浄剤組成物。
［付記３］
（Ａ）２質量％〜１７．５質量％のアニオン性界面活性剤と、
（Ｂ）１質量％〜１７．５質量％の両性界面活性剤と、
（Ｃ）２．５質量％〜１７質量％の非イオン性界面活性剤と、
（Ｄ）０．２質量％〜５質量％の油性成分と、
を含有し、
前記成分（Ａ）、前記成分（Ｂ）、前記成分（Ｃ）及び前記成分（Ｄ）の合計質量に対する前記成分（Ａ）及び前記成分（Ｂ）の合計質量の比が０．８〜０．９であり、
上記化４又は化５に示す化合物を実質量含まない、洗浄剤組成物。
［付記４］
前記成分（Ａ）、前記成分（Ｂ）、前記成分（Ｃ）及び前記成分（Ｄ）の合計質量に対する前記成分（Ａ）及び前記成分（Ｂ）の合計質量の比が０．４〜０．９である、付記に記載の洗浄剤組成物。
【産業上の利用可能性】
【０１５５】
本開示の洗浄剤組成物は、肌の洗浄に好適に用いることができる。特に、本開示の組成物は、肌上の化粧料を落とすための洗浄に好適に用いることができる。本開示の組成物は、ポンプフォーマに入れる内容物として好適に適用することができる。
【国際調査報告】
2018074149.tif 000027
2018074149.tif 000028
2018074149.tif 000029
2018074149.tif 000030